(57)【要約】【課題】  画像に歪みがなく、解像度劣化のない上記３番目の手段を用いることにおいて、左右のカットされた部分が見えないという欠点を補うために、ビデオカメラ本体に装備している液晶ディスプレイには、４：３のスクイーズ画面を表示して、その切り出してテレビモニターに送信している映像がユーザーに認識できるようにし、また、切り出している部分が、テレビモニター上でも認識できるようにシースルーのキャラクターを重畳することができ、さらにまた、切り出し範囲をユーザーが自由に設定できるように対応することのできる画像再生装置の提供。【解決手段】  １６：９で撮影されたテレビジョン信号を４：３でモニター上に再生する場合に、違和感無く再生するため、画面の両端をカットして、４：３にアスペクト比を変更する出力手段を持つ映像再生装置において、ＬＣＤパネル上に再生範囲を表示するとともに、再生範囲を可変させることが出来る画像再生装置。【選択図】        図１
2006066951.tif 000002
【特許請求の範囲】
【請求項１】
アスペクト比が１６：９及び４：３の映像が再生可能で、１６：９の映像の両端を削除して４：３の映像を出力可能な画像再生装置において、両端の削除する左右の範囲を可変出来ることを特徴とする画像再生装置。
【請求項２】
１６：９から４：３への切り出し範囲を映像再生装置に付属するモニターに表示する事を特徴とする請求項１記載の画像再生装置。
【請求項３】
１６：９から４：３への切り出し範囲を映像再生装置装置側で、キャラクターとして映像に重畳しテレビモニターに出力する事を特徴とする請求項１記載の画像再生装置。
【請求項４】
１６：９の映像信号を４：３のテレビモニターに出力する場合に、スクイーズ画面とレターボックス画面と両端カットのそれぞれの出力手段をユーザーが選択することが可能であることを特徴とする請求項１記載の画像再生装置。
【発明の詳細な説明】
【技術分野】
【０００１】
本発明は、画像再生装置に関する。
【背景技術】
【０００２】
近年、地上波デジタル放送が始まり、一般家庭のテレビもすべて１６：９に買い替えが必要になってくる。ビデオカメラの映像は、将来的に保存しておきたい物が多いため、高解像の１６：９で撮影しておきたいと思うことが、一般的である。
【０００３】
従来のビデオカメラにおいては、１６：９の映像を作る際に、垂直方向の信号を間引いて横長の画像を作ることが一般的であったが、近年、ＣＣＤの多画素化が急速に進んだため、信号を間引きことなく高解像の１６：９画像を記録することができるようになってきた。
【０００４】
一方、従来の４：３のアスペクト比のモニターも広く使われており、４：３のアスペクト比を持つテレビモニターに対して１６：９の映像を出力する場合、図３の様に縦長に歪んだ信号を出力する手法と、図４の様に映像の上下をカットして１６：９を歪みなく再生する手法が知られている（例えば、特許文献１参照）。
【０００５】
また、１６：９の左右をカットして歪みなく４：３のアスペクト比で再生する手法も存在する。これは、映画などをテレビで放送する場合に用いられる手段である。
【特許文献１】特開２０００−２２８７５０号公報
【発明の開示】
【発明が解決しようとする課題】
【０００６】
しかしながら、図３の様に縦長に歪んだ画像は、情報量としては欠落していないが、その歪みのために見づらいものである。また、図４の様に上下をカットして再生する手段においては、画像の水平走査線を間引く必要があるため情報量が欠落するとともに、テレビモニターに映し出される映像も縮小されてしまうという欠点があった。
【０００７】
また、３番目の手段として、左右をカットする手段があるが、この手段においては、撮影した左右の画像を見ることができないという欠点があった。
【０００８】
本発明は、上述の問題点に着目してなされたものであって、画像に歪みがなく、解像度劣化のない上記３番目の手段を用いることにおいて、左右のカットされた部分が見えないという欠点を補うために、ビデオカメラ本体に装備している液晶ディスプレイには、４：３のスクイーズ画面を表示して、その切り出してテレビモニターに送信している映像がユーザーに認識できるようにし、また、切り出している部分が、テレビモニター上でも認識できるようにシースルーのキャラクターを重畳することができ、さらにまた、切り出し範囲をユーザーが自由に設定できるように対応することのできる、画像再生装置の提供を目的としている。
【課題を解決するための手段】
【０００９】
上記課題を解決するために、本発明はその第一の発明として、以下の構成を備える。
【００１０】
（１）アスペクト比が１６：９及び４：３の映像が再生可能で、１６：９の映像の両端を削除して４：３の映像を出力可能な画像再生装置において、両端の削除する左右の範囲を可変出来ることを特徴とする画像再生装置。
【発明の効果】
【００１１】
以上説明したように、本出願に係わる発明によれば、１６：９で撮影した映像を４：３のテレビモニターで見る場合に映像の歪みも、垂直解像度の劣化もなく見ることができ、カットされている映像部分もユーザーが認識することができるとともに選択することも可能である。
【発明を実施するための最良の形態】
【００１２】
以下に、本発明を実施するための最良の形態を、実施例に基づいて説明する。
【実施例１】
【００１３】
図１は、本発明第１の実施例の特徴を最もよく表す図画であり、以下、本発明を図面に示す実施形態に基づいて説明する。
【００１４】
１，３は、ビデオカメラ本体に付属している４：３のアスペクト比を持つ液晶表示装置。２，５は、１６：９の画像を４：３に変換する際にカットされる映像部分。４は、ビデオカメラ本体の操作キー、６，７は、４：３のアスペクト比を持つテレビモニターである。
【００１５】
次に、図１を参照しながら本発明の実施形態を説明する。
【００１６】
１，３の液晶表示装置に表示されている映像は、１６：９のアスペクト比で撮影された映像の再生画面である。液晶表示装置のアスペクト比は、４：３であるため、ここに表示された映像は、縦長に歪んだ映像で表示されている。画面の中央には３人の男性が映っており、一番右側の男性の足元には、蛙がいる映像である。図１右上の映像は、４：３のアスペクト比を持つテレビモニターであり、そこに表示されている映像は、左上液晶表示装置１内の２の部分をカットして４：３のアスペクト比に変換していることを表す。従って、テレビモニターの映像は、歪みも解像度劣化もない映像として表示されている。しかしながら、全映像の右側をカットしているため、一番右側にいる男性の足元にいる蛙は、表示されていない。
【００１７】
ここで、ビデオカメラの本体キーの操作によって映像の切り出し部分を図１の左下のように変更すると、カットされる映像が左側になるので、図１の右下のテレビモニターに表示されたように一番右側にいる男性の足元にいる蛙が、テレビモニター上に表示される。
【００１８】
このように、本発明の第１の実施例によれば、４：３のアスペクト比に変換する画像の範囲を、ビデオカメラ本体の液晶表示装置で確認しながら、自由に変更することができる
【実施例２】
【００１９】
図２は、本発明第２の実施例の特徴を最もよく表す図画であり、以下、本発明を図面に示す実施形態に基づいて説明する。
【００２０】
１０は、４：３のアスペクト比を持つテレビモニターに映し出された映像。１１は、テレビモニター上に重畳された、映像の表示範囲を示すキャラクター表示である。
【００２１】
次に、図２を参照しながら本発明の実施形態を説明する。
【００２２】
１０の画像は、１６：９のアスペクト比で撮影された画像を４：３の画像に変換して、４：３のアスペクト比のテレビモニターで表示している映像である。１１は、４：３に変換した切り出しの部分を表示したシースルーのキャラクターであり、ユーザーは切り出し範囲を確認しながら、テレビモニター上の映像を見ることができる。また、ユーザーはビデオカメラの本体操作キー、もしくは、ビデオカメラに付属するリモコンにて、切り出し範囲を変更することができる。
【００２３】
このように、本発明の第２の実施例によれば、テレビモニターを見ながら、４：３への切り出し範囲をユーザーが可変設定することができる。
【図面の簡単な説明】
【００２４】
【図１】本発明の第１の実施例を表す図
【図２】本発明の第２の実施例を表す図
【図３】従来例を表す図
【図４】従来例を表す図
【符号の説明】
【００２５】
１  ビデオカメラ本体の液晶表示装置
２  カットされた映像範囲
３  ビデオカメラ本体の液晶表示装置
４  ビデオカメラ本体の操作キー
５  カットされた映像範囲
６  ４：３のテレビモニターの表示
７  ４：３のテレビモニターの表示
１０  ４：３のテレビモニターの表示
１１  ４：３のテレビモニターの表示に重畳されたキャラクター
２０  従来の縦長に歪んだ表示例
２１  従来の上下をカットした表示例
【図１】
2006066951.tif 000003
【図２】
2006066951.tif 000004
【図３】
2006066951.tif 000005
【図４】
2006066951.tif 000006